(57)【要約】【課題】床上に設置してもトイレットペーパーロールを楽な姿勢で容易に取り出すことが可能なトイレットペーパーロール収納容器を提供すること。【解決手段】トイレットペーパーロール収納容器は、下方に底１ａを有し且つ上方に開口端１ｂを有する筒体１を備え、筒体１内に３個のトイレットペーパーロールＲを上下方向に積み重ねて収納する。最も下方のトイレットペーパーロールＲと筒体１の底１ａとの間にバネ４を配設した。バネ４の弾性力により、取り出す対象である最も上方のトイレットペーパーロールＲが、筒体１の開口端１ｂから所定量突出する。【選択図】図３
2011083475.tif 000002
【特許請求の範囲】
【請求項１】
上方に開口端を有する縦型の筒体を備え、前記筒体内に複数のトイレットペーパーロールを上下方向に積み重ねて収納するトイレットペーパーロール収納容器であって、
前記筒体内に上下方向に伸縮する弾性部材を配設すると共に、前記弾性部材の上端に前記トイレットペーパーロールを載置し、
前記弾性部材の弾性力により、取り出す対象のトイレットペーパーロールが、常に筒体の開口端から所定量突出するように構成したことを特徴とするトイレットペーパーロール収納容器。
【請求項２】
収納するトイレットペーパーロールの中心軸を上下方向とした請求項１に記載のトイレットペーパーロール収納容器。
【請求項３】
筒体を円筒体とし、収納するトイレットペーパーロールを上下方向に一列とした請求項２に記載のトイレットペーパーロール収納容器。
【請求項４】
弾性部材の上方に、トイレットペーパーロールを載置するための載置部材を配設し、
載置部材と筒体の底を可撓性の線材で連結し、
トイレットペーパーロールを収納していない場合に、載置部材と筒体の底との間で前記線材が伸長され且つ弾性部材が圧縮され、載置部材が筒体の内部空間に位置するように構成した請求項３に記載のトイレットペーパーロール収納容器。
【請求項５】
収納するトイレットペーパーロールの最大数を３個とした請求項３又は４に記載のトイレットペーパーロール収納容器。
【請求項６】
筒体の開口端を上方から閉塞する蓋を、筒体に回動自在に設けた請求項３〜５の何れか１項に記載のトイレットペーパーロール収納容器。
【請求項７】
蓋を閉じた状態で、弾性部材の弾性力により、最も上方のトイレットペーパーロールが蓋に当接するように構成した請求項６に記載のトイレットペーパーロール収納容器。
【請求項８】
蓋を設けた位置に対して周方向で中心角が６０〜１２０°の範囲の位置に、閉じた状態の蓋より上方に突出した把持部を設けた請求項６又は７に記載のトイレットペーパーロール収納容器。
【発明の詳細な説明】
【技術分野】
【０００１】
本発明は、トイレットペーパーロール収納容器に関する。
【背景技術】
【０００２】
トイレットペーパーロール（以下、「ロール」という）は、通常、カッター付きのトイレットペーパーホルダに装着されて使用される。そして、トイレットペーパーを使用し尽くした場合のために、予備のロールがトイレットペーパーホルダの下部あるいは比較的近くの棚の上などに載置してあることが多い。
【０００３】
しかし、比較的近くの棚であっても、例えば、トイレを使用中にトイレットペーパーを使用し尽くした場合等では、ロールを手に取るのが困難なことがある。また、複数のロールがむき出しのままの状態で載置されているのは、見た目にもあまりよくない。
【０００４】
このような問題を解決するために、例えば特許文献１のトイレットペーパーロール収納容器が提案されている。この容器は、下方に底を有すると共に上方に開口端を有する筒体を備え、筒体の開口端からロールを上下方向に積み重ねて収納し、筒体の下部の前側からロールを取り出すようになっている。
【先行技術文献】
【特許文献】
【０００５】
【特許文献１】特開平９−１５４７６７号公報
【発明の概要】
【発明が解決しようとする課題】
【０００６】
しかしながら、特許文献１のトイレットペーパーロール収納容器では、筒体の下部からロールを取り出すようになっているので、床上に設置した場合に、かかんでロールを取り出さなければならず、ロールを非常に取り出しにくい。また、近年普及した洋式トイレに座った状態では、ロールを取り出すために体を無理に前屈させなければならず、特に高齢者にとってはロールを非常に取り出しにくい。
【０００７】
本発明は、上記事情に鑑み、床上に設置してもロールを楽な姿勢で容易に取り出すことが可能なトイレットペーパーロール収納容器を提供することを課題とする。
【課題を解決するための手段】
【０００８】
前記課題を解決するための本発明のトイレットペーパーロール収納容器は、上方に開口端を有する縦型の筒体を備え、前記筒体内に複数のトイレットペーパーロールを上下方向に積み重ねて収納するトイレットペーパーロール収納容器であって、前記筒体内に上下方向に伸縮する弾性部材を配設すると共に、前記弾性部材の上端に前記トイレットペーパーロールを載置し、前記弾性部材の弾性力により、取り出す対象のトイレットペーパーロールが、常に筒体の開口端から所定量突出するように構成したことを特徴とする。
【０００９】
この構成によれば、取り出す対象のロールが、筒体の上方の開口端から所定量突出しているため、立った状態や洋式トイレに座った状態から容易にロールを取り出すことができる。更に、体が不自由な人にとっても容易にロールを取り出すことができる。
【００１０】
また、シンプルな構造なので、製造コストを抑制でき、安価で販売することができる。
【００１１】
上記構成において、収納するロールの中心軸を上下方向としてもよい。
【００１２】
この構成によれば、ロールを、直径方向につかみやすくなり、取り出しやすくなる。また、市販のロールの多くは、円筒形の芯を有し、この芯の内周とロールの外周をつかむことが可能になることによっても、ロールを取り出しやすくなる。
【００１３】
上記構成において、筒体を円筒体とし、収納するロールを上下方向に一列としてもよい。
【００１４】
この構成によれば、トイレットペーパーロール収納容器の体積や底面積を小さくでき、設置場所の面積を小さくすることができる。
【００１５】
上記構成において、弾性部材の上方に、ロールを載置するための載置部材を配設し、載置部材と筒体の底を可撓性の線材で連結し、ロールを収納していない場合に、載置部材と筒体の底との間で前記線材が伸長され且つ弾性部材が圧縮され、載置部材が筒体の内部空間に位置するように構成してもよい。
【００１６】
この構成によれば、載置部材によりロールを安定してトイレットペーパー収納容器に収納可能となる。ロールを収納していない場合に、載置部材が、筒体の内部空間に位置するので、ロールを筒体に収納する際に、ロールが筒体の開口端に案内され、収納を容易にできる。ロールを収納していない場合に、例えばトイレットペーパーロール収納容器の移動中に、線材の張力と弾性部材の弾性力により、載置部材が弾性部材に対してガタ付くことを抑制できる。
【００１７】
上記構成において、収納するロールの最大数を３個としてもよい。
【００１８】
この構成によれば、トイレットペーパー収納容器を、洋式トイレに座った状態でロールを取り出すのに最適な高さに設計することができる。
【００１９】
上記構成において、筒体の開口端を上方から閉塞する蓋を、筒体に回動自在に設けてもよい。
【００２０】
この構成によれば、ロールにほこりが溜まったり、水がかかったりすることを防止できる。また、蓋は、筒体の開口端を上方から閉塞するように回動自在に設けられている。これにより、蓋の回動範囲を狭くなるように設計すれば、蓋の開閉動作のための横方向のスペースを少なくすることが可能である。また、蓋を不透明なものとすれば、収納したロールを完全に見えなくすることが可能になり、見た目がよくなる。一方、蓋を透明なものとすれば、蓋を閉じた状態で、筒体の内部を確認可能となり、ロールを補充する際に蓋を開けてロールの有無を確認する手間を省略できる。蓋を半透明なものとすれば、どちらの効果も享受できる。
【００２１】
上記構成において、蓋を閉じた状態で、弾性部材の弾性力により、最も上方のロールが蓋に当接するように構成してもよい。
【００２２】
この構成によれば、蓋にロールが当接しているので、トイレットペーパーロール収納容器の移動中に、ロールがガタ付くことを抑制できる。また、蓋に弾性部材の弾性力が上向きに加わるので、蓋の重量を幾分か相殺して蓋を開ける際に要する力を少なくすることができる。
【００２３】
上記構成において、蓋を設けた位置に対して周方向で中心角が６０〜１２０°の範囲の位置に、閉じた状態の蓋より上方に突出した把持部を設けてもよい。
【００２４】
この構成によれば、閉じた状態の蓋より上方に突出した把持部を設けているので、掃除等のためにトイレットペーパーロール収納容器を移動することが容易となる。また、蓋を設けた位置に対して周方向で中心角が６０〜１２０°の範囲の位置に、把持部を設けているので、蓋自体の開閉動作に対して把持部が邪魔にならず、また、蓋を開けるために蓋に手をかける場合にも把持部が邪魔にならない。
【発明の効果】
【００２５】
本発明によれば、床上に設置してもロールを楽な姿勢で容易に取り出すことが可能なトイレットペーパーロール収納容器を提供することができる。
【図面の簡単な説明】
【００２６】
【図１】本発明の実施形態に係るトイレットペーパーロール収納容器を模式的に示す図で、（Ａ）が正面図、（Ｂ）が背面図、（Ｃ）が蓋を開けた状態の平面図、（Ｄ）が把持部の変形例を示す背面図である。
【図２】本発明の実施形態に係るトイレットペーパーロール収納容器を模式的に示す縦断面図で、（Ａ）が蓋を閉めた状態、（Ｂ）が蓋を開けた状態である。
【図３】本発明の実施形態に係るトイレットペーパーロール収納容器の使用方法を模式的に示す縦断面図で、（Ａ）が蓋を閉めた状態、（Ｂ）が蓋を開けた状態である。
【図４】本発明の実施形態に係るトイレットペーパーロール収納容器の使用方法を模式的に示す縦断面図で、（Ａ）が蓋を閉めた状態、（Ｂ）が蓋を開けた状態である。
【図５】本発明の実施形態に係るトイレットペーパーロール収納容器の使用方法を模式的に示す縦断面図で、（Ａ）が蓋を閉めた状態、（Ｂ）が蓋を開けた状態である。
【発明を実施するための形態】
【００２７】
以下、本発明を実施するための形態について図面に基づき説明する。
【００２８】
図１、図２に示すように、本発明の実施形態に係るトイレットペーパーロール収納容器は、筒体１、蓋２、把持部３、弾性部材としてのバネ４、載置部材としての皿板５とを主要な構成要素とする。
【００２９】
筒体１は、本実施形態では円筒体であり、下方に底１ａを有し且つ上方に開口端１ｂを有する。筒体１の内径は、市販のロールの外径より少し大きく、例えば１２５ｍｍであり、外径は、例えば１３４ｍｍである。また、筒体１の本体部１ｃの高さは、例えば３６０ｍｍである。筒体１の本体部１ｃは、例えば、エスロンパイプである。筒体１の上記寸法や材質は、それらに限定されるものではないことは勿論である。
【００３０】
蓋２は、天板部２ａを有する円筒体であり、その内径・外径共に筒体１の本体部１ｃと同径である。蓋２は、開口端２ｂを、筒体１の開口端１ｂに合致させた状態で、筒体１の開口端１ｂを閉塞する。本実施形態では、蓋２の天板部２ａは、半透明である。蓋２は、筒体１の開口端１ｂを上方から閉塞する。また、蓋２は、図１（Ａ）の両矢印Ａで示すように、筒体１に回動自在に、例えば蝶番等のヒンジ機構２ｃにより取り付けられている。
【００３１】
把持部３は、Ｕ字状に屈曲した棒材である。把持部３は、取り付け部材３ａにより、図１（Ａ）の両矢印Ｂに示すように、筒体１に対して上下方向にスライド可能に本体部１ｃの外周面に取り付けられている。把持部３の両端３ｂは、取り付け部材３ａに対する抜け止めのために、平たく幅広く変形されている。本実施形態では、把持部３の取り付け位置は、図１（Ｃ）に示すように、蓋２を設けた位置（ヒンジ機構２ｃ）に対して周方向で中心角が６０〜１２０°の範囲の位置であるが、これに限定されるものではない。把持部３は、トイレットペーパーロール収納容器を移動する際に、手によって把持する部位であり、使用の際には、蓋２の天板部２ａより上方に突出するようにスライドさせて把持し易くし、使用しない状態では、下方にスライドさせて視認され難くし、見た目をよくすることができる。
【００３２】
把持部３の形状は、上記のものに限定されない。例えば、図１（Ｄ）に示すように、把持部３は、直線部３ｃの両端に大円環部３ｄと小円環部３ｅとを有する形状であってもよい。この場合にも、把持部３は、筒体１に対して上下方向にスライド可能に本体部１ｃの外周面に取り付け部材３ａにより取り付けられている。この場合には、大円環部３ｄが実際に手により把持する部位となり、小円環部３ｅが取り付け部材３ａに対する抜け止めの機能を有する。
【００３３】
バネ４は、本実施形態では、円筒コイルバネであり、その中心軸を上下方向として筒体１内の底１ａの上側に当接して配設される。皿板５は、ロールを載置するための部材であり、バネ４の上方に当接して配設される。皿板５は、円形の板状であり、その直径は筒体１の内径より僅かに小さく、例えば１２３ｍｍである。
【００３４】
バネ４は、軸方向を上下方向としてロールを皿板５に載置するとロールの高さ分だけ自然に縮小するようにバネ定数が設定されている。例えばロールの高さ（軸方向の長さ）を１０４ｍｍ、ロールの重量を０．１１ｋｇ、重力加速度を９．８ｍ／ｓ2とした場合、バネ定数は、１．１×１０（Ｎ／ｍ）である。
【００３５】
皿板５の中央と筒体１の底１ａの中央は、バネ４内を挿通する例えばピアノ線等の可撓性の線材Ｗにより連結されている。ロール無しの状態で、皿板５と筒体１の底１ａとの間で線材Ｗがバネ４の力で伸長される一方で、バネ４は線材Ｗによって拘束されて所定の圧縮状態を維持し、皿板５が筒体１の内部空間において所定の高さに位置する。
【００３６】
本実施形態では、バネ４は、皿板５と筒体１の底１ａに固定していないが、必要に応じて、固定してもよい。
【００３７】
次に、図２〜５を参照して、本実施形態のトイレットペーパーロール収納容器の使用方法を説明する。
【００３８】
最初に、図２（Ａ）に示す蓋を閉じた状態の空のトイレットペーパーロール収納容器を、図示しないトイレットペーパーホルダの近傍の床上に設置する。
【００３９】
次に、図２（Ｂ）に示すように、蓋２を手動で開ける。そして、図３（Ｂ）に示すように、筒体１の開口端１ｂからロールＲを３個入れて、筒体内に上下方向に積み重ねて収納する。
【００４０】
本実施形態のトイレットペーパーロール収納容器では、収納するロールＲの最大数は３個である。収納するロールＲは、円筒形の芯付きのものである。収納したロールＲの中心軸は、上下方向であり、ロールＲは上下方向に一列に積み重なっている。
【００４１】
ロールＲを収納後、蓋２を手動で閉じる。図３（Ａ）に示すように、蓋２を閉じると、バネ４の弾性力を受けた状態で、最も上方のロールＲが蓋２の下面に当接する。この状態で、ロールＲが保管される。
【００４２】
図示しないトイレットペーパーホルダのトイレットペーパーが無くなった場合等、ロールＲが必要になった場合に、蓋２を手動で開ける。すると、図３（Ｂ）に示すように、バネ４の弾性力により、最も上方のロールＲが、筒体１の開口端１ｂから所定量突出する。そして、筒体１の開口端１ｂから、最も上方のロールＲを１個取り出す。すると、バネ４の弾性力により、残りのロールＲがロール１個の高さ分上昇する。
【００４３】
この後、蓋２を手動で閉じて残りのロールＲを保管し、必要に応じて蓋２を手動で開けてロールＲを取り出すことを繰り返す。すなわち、トイレットペーパーロール収納容器の状態は、次のようになる。図４（Ｂ）（ロールＲの取り出し直後）→図４（Ａ）（ロールＲの保管中）→図４（Ｂ）（ロールＲの取り出し直前）→図５（Ｂ）（ロールＲの取り出し直後）→図５（Ａ）（ロールＲの保管中）→図５（Ｂ）（ロールＲの取り出し直前）→図２（Ｂ）（ロールＲの取り出し直後）。そして、空となったトイレットペーパーロール収納容器は、ロールＲを補充しない場合は、蓋２を手動で閉じて、図２（Ａ）の状態にする。
【００４４】
なお、図４（Ａ）、図５（Ａ）の蓋２を閉じた状態では、図３（Ａ）の状態と同様に、バネ４の弾性力を受けた状態で、最も上方のロールＲが蓋２に当接する。一方、図４（Ｂ）、図５（Ｂ）の蓋２を開けた状態では、図３（Ｂ）の状態と同様に、バネ４の弾性力により、最も上方のロールＲが、筒体１の開口端１ｂから所定量突出する。例えば、筒体１の底１ａの上面から開口端１ｂまでが３５４ｍｍであり、ロールの高さ（軸方向の長さ）が１０４ｍｍ、ロールの重量が０．１１ｋｇ、バネ４が自然長３６４ｍｍでバネ定数１．１×１０（Ｎ／ｍ）であり、皿板５の厚さと重量を無視した場合には、最も上方のロールＲの突出する量は、１０ｍｍである。このロールＲの突出量は、１〜２０ｍｍが好適であるが、これに限定されるものではない。また、本実施形態では、このロールＲの突出する量は、ロールＲが１〜３個の場合で、全て同一であるが、多少異なっていても実用上問題はない。
【００４５】
以上の構成により、本実施形態のトイレットペーパーロール収納容器では、以下の効果を享受できる。
【００４６】
取り出す対象のロールＲが、筒体１の開口端１ｂから所定量突出しているため、立った状態や洋式トイレに座った状態から容易にロールＲを取り出すことができる。更に、例えば高齢者のように体が不自由な人にとっても容易にロールＲを取り出すことができる。
【００４７】
また、シンプルな構造なので、製造コストを抑制でき、安価で販売することができる。
【００４８】
収納したロールＲの中心軸は、上下方向である。これにより、ロールＲを、直径方向につかみやすくなり、取り出しやすくなる。また、ロールＲは、円筒形の芯を有し、この芯の内周とロールＲの外周をつかむことが可能になることによっても、ロールＲを取り出しやすくなる。
【００４９】
収納したロールＲは上下方向に一列に積み重なっている。これにより、トイレットペーパーロール収納容器の体積や底面積を小さくでき、設置場所の面積を小さくすることができる。
【００５０】
皿板５によりロールＲを安定してトイレットペーパー収納容器に収納可能となる。ロールＲを収納していない場合に、皿板５が、筒体１の内部空間に位置するので、ロールＲを筒体１に収納する際に、ロールＲが筒体１の開口端１ｂに案内され、収納を容易にできる。ロールＲを収納していない場合に、例えばトイレットペーパーロール収納容器の移動中に、線材Ｗの張力とバネ４の弾性力により、皿板５がバネ４の上端に密着し易いので、皿板５がバネ４に対してガタ付くことを抑制できる。
【００５１】
収納するロールＲの最大数が３個であるので、トイレットペーパー収納容器を、洋式トイレに座った状態でロールＲを取り出すのに最適な高さに設計することができる。
【００５２】
蓋２は、筒体１の開口端１ｂを閉塞する。これにより、ロールＲにほこりが溜まったり、水がかかったりすることを防止できる。また、筒体１の開口端１ｂを上方から閉塞する蓋２が、筒体１に回動自在に、ヒンジ機構２ｃにより取り付けられている。このため、蓋２の回動範囲を狭くなるように設計すれば、蓋２の開閉動作のための横方向のスペースを少なくすることが可能である。また、蓋２の天板部２ａが半透明である。これにより、収納したロールＲをある程度見えなくすることが可能になり、見た目がよくなる。一方、蓋２を閉じた状態で、筒体１の内部を確認可能となり、ロールＲを補充する際に蓋２を開けてロールＲの有無を確認する手間を省略できる。
【００５３】
蓋２を閉じた状態で、バネ４の弾性力により、最も上方のロールＲが蓋に当接する。これにより、蓋２にロールＲが当接しているので、トイレットペーパーロール収納容器の移動中に、ロールＲがガタ付くことを抑制できる。また、蓋２にバネ４の弾性力が上向きに加わるので、蓋２の重量を幾分か相殺して蓋２を開ける際に要する力を少なくすることができる。
【００５４】
閉じた状態の蓋２より上方に突出する把持部３を設けているので、掃除等のためにトイレットペーパーロール収納容器を移動することが容易となる。また、蓋２を設けた位置に対して周方向で中心角が６０〜１２０°の範囲の位置に、把持部３を設けているので、蓋２自体の開閉動作に対して把持部３が邪魔にならず、また、蓋２を開けるために蓋２に手をかける場合にも把持部３が邪魔にならない。
【００５５】
上記実施形態では、蓋２の筒体１への取り付けにヒンジ機構２ｃを用いているが、これに、更に、トグル機構を組み合わせてもよい。この場合には、開・閉動作のそれぞれで、中間点を超えると、力が不要になる。また、ヒンジ機構２ｃにダンパ機構を組み合わせてもよい。この場合には、開・閉動作のそれぞれにおいて、動作終了時に騒音や振動を抑制できる。また、ヒンジ機構２ｃに開蓋方向に付勢するバネを組み合わせて、蓋２と筒体１との間にロック機構を取り付けてもよい。この場合には、蓋２のロックを解除すると同時に、バネの弾性力により蓋２の開動作が自動で行なわれるようにすることもできる。
【００５６】
上記実施形態では、トイレットペーパーロール収納容器は、直接、床上に設置するように設定されているが、筒体１の底１ａにキャスタ等を取り付けてもよい。これにより、掃除等のためのトイレットペーパーロール収納容器の移動が更に容易となる。
【００５７】
上記実施形態では、蓋２を閉じた状態で、バネ４の弾性力により、最も上方のロールＲが蓋２に当接するが、本発明はこれに限定されない。すなわち、蓋２を閉じた状態で、必ずしも最も上方のロールＲが蓋２の下面に当接しない構成としてもよい。
【００５８】
上記実施形態では、弾性部材として円筒コイルのバネ４を使用しているが、本発明は、これには限定されず、同様の弾性力を有する弾性部材であれば使用可能である。
【００５９】
本発明は上記実施形態に限定されることなく、その技術的思想の範囲内であれば、様々な変形が可能である。
【符号の説明】
【００６０】
１    筒体
１ａ  底
１ｂ  開口端
１ｃ  本体部
２    蓋
３    把持部
４    バネ（弾性部材）
５    皿板（載置部材）
Ｒ    トイレットペーパーロール
【図１】
2011083475.tif 000003
【図２】
2011083475.tif 000004
【図３】
2011083475.tif 000005
【図４】
2011083475.tif 000006
【図５】
2011083475.tif 000007